(57)【要約】  ECHONET Lite（登録商標）規格に準拠したＨＥＭＳネットワーク５に接続するアダプタ１０は、上記規格に対応していない非対応電気機器２のリモコン装置３からリモコン信号を受信してリモコンコードを取得し、取得したリモコンコードをＨＥＭＳネットワーク５を介してＨＥＭＳ端末７に送信する。ＨＥＭＳ端末７は、プロパティコードとリモコンコードの対応を示す変換情報７５２をアダプタ１０に送信する。アダプタ１０は、非対応電気機器２を対象とした電文に含まれているプロパティコードに対応するリモコンコードを含むリモコン信号を送信して非対応電気機器２を制御する。アダプタ１０は、リモコン信号取得ユニット８１からリモコン信号情報を、物理量計測値取得ユニットから物理量計測値を、夫々受信し、受信したリモコン信号情報と物理量計測値とに基づき非対応電気機器２がリモコン信号を受信したことを確認する。
2018003118.tif 000002
【特許請求の範囲】
【請求項１】
所定の通信規格に準拠した通信ネットワークに接続し、前記通信ネットワークを介して送られてくる電文を受信し、前記電文の内容に応じて、前記通信ネットワークに非対応の電機機器である非対応電気機器を制御するアダプタと、
前記アダプタと通信し、前記非対応電気機器に対して送信されたリモコン信号を受信し、受信したリモコン信号を含む情報であるリモコン信号情報を前記アダプタに送信する、リモコン信号取得ユニットと、
前記アダプタと通信し、前記非対応電気機器の周辺にて前記非対応電気機器が前記リモコン信号を受信した際の応答動作によって影響される物理量を時系列的に計測し、計測した値である物理量計測値をアダプタに送信する、物理量計測値取得ユニットと、
を含んで構成される機器制御システムの制御方法であって、
前記アダプタが、
前記通信規格における前記非対応電気機器に対応する制御コードと前記非対応電気機器のリモコンコードとの対応を示す情報である変換情報を記憶するステップ、
前記通信ネットワークを介して前記非対応電気機器を対象とした前記電文を受信した場合に、前記変換情報に基づき、前記電文に含まれている前記制御コードに対応する前記リモコンコードを取得し、取得した前記リモコンコードを含むリモコン信号を送信するステップ、
前記リモコン信号取得ユニットから前記リモコン信号の前記リモコン信号情報を受信するステップ、
前記物理量計測値取得ユニットから前記物理量計測値を受信するステップ、
前記物理量計測値に基づき、前記リモコン信号取得ユニットが前記リモコン信号を受信した時刻の前又は後の所定期間内に、前記非対応電気機器の前記応答動作に起因する前記物理量の変化が存在するか否かを判定するステップ、
前記非対応電気機器の前記応答動作に起因する前記物理量の変化が存在すると判定した場合に、前記リモコン信号情報に含まれるリモコンコードを取得するステップ、
前記変換情報に基づき、前記リモコンコードに対応する前記制御コードを取得するステップ、
前記リモコン信号情報から前記リモコン信号による制御後の前記非対応電気機器の動作状態を示す情報を取得し、取得した情報を前記制御コードと対応づけて記憶するステップ、
を実行する、
機器制御システムの制御方法。
【請求項２】
請求項１に記載の機器制御システムの制御方法であって、
前記アダプタが、
前記通信ネットワークを介して前記動作状態を示す情報の提供要求を受信し、
受信した前記提供要求で要求される前記動作状態を示す情報を前記提供要求の送信元に送信するステップ、
をさらに実行する、
機器制御システムの制御方法。
【請求項３】
請求項１又は２に記載の機器制御システムの制御方法であって、
前記物理量は音量であり、
前記アダプタは、前記リモコン信号取得ユニットが前記リモコン信号を受信した時刻の前又は後の所定期間内に、前記非対応電気機器が前記応答動作として出力する音が存在するか否かを判定する、
機器制御システムの制御方法。
【請求項４】
請求項１又は２に記載の機器制御システムの制御方法であって、
前記通信規格は、ECHONET Lite（登録商標）規格であり、前記制御コードは、ECHONET Lite（登録商標）規格におけるプロパティコードである、
機器制御システムの制御方法。
【請求項５】
所定の通信規格に準拠した通信ネットワークに接続し、前記通信ネットワークを介して送られてくる電文を受信し、前記電文の内容に応じて、前記通信ネットワークに非対応の電機機器である非対応電気機器を制御するアダプタと、
前記アダプタと通信し、前記非対応電気機器に対して送信されたリモコン信号を受信し、受信したリモコン信号を含む情報であるリモコン信号情報を前記アダプタに送信する、リモコン信号取得ユニットと、
前記アダプタと通信し、前記非対応電気機器の周辺にて前記非対応電気機器が前記リモコン信号を受信した際の応答動作によって影響される物理量を時系列的に計測し、計測した値である物理量計測値をアダプタに送信する、物理量計測値取得ユニットと、
を含み、
前記アダプタは、
前記通信規格における前記非対応電気機器に対応する制御コードと前記非対応電気機器のリモコンコードとの対応を示す情報である変換情報を記憶する変換情報記憶部と、
前記通信ネットワークを介して前記非対応電気機器を対象とした前記電文を受信した場合に、前記変換情報に基づき、前記電文に含まれている前記制御コードに対応する前記リモコンコードを取得し、取得した前記リモコンコードを含むリモコン信号を送信するリモコン信号送信部と、
前記リモコン信号取得ユニットから前記リモコン信号の前記リモコン信号情報を受信するリモコン信号情報受信部と、
物理量計測値取得ユニットから前記物理量計測値を受信する物理量計測値受信部と、
前記物理量計測値に基づき、前記リモコン信号取得ユニットが前記リモコン信号を受信した時刻の前又は後の所定期間内に、前記非対応電気機器の前記応答動作に起因する前記物理量の変化が存在するか否かを判定し、前記非対応電気機器の前記応答動作に起因する前記物理量の変化が存在すると判定した場合に、前記リモコン信号情報に含まれるリモコンコードを取得し、前記変換情報に基づき、前記リモコンコードに対応する前記制御コードを取得し、前記リモコン信号情報から前記リモコン信号による制御後の前記非対応電気機器の動作状態を示す情報を取得し、取得した情報を前記制御コードと対応づけて記憶する、プロパティ値管理部と、
を備える
機器制御システム。
【請求項６】
請求項５に記載の機器制御システムであって、
前記アダプタは、
前記通信ネットワークを介して前記動作状態を示す情報の提供要求を受信し、受信した提供要求で要求される前記動作状態を示す情報を前記提供要求の送信元に送信する動作状態情報提供部、
をさらに備える、
機器制御システム。
【請求項７】
請求項５又は６に記載の機器制御システムであって、
前記物理量は音量であり、
前記プロパティ値管理部は、前記リモコン信号取得ユニットが前記リモコン信号を受信した時刻の前又は後の所定期間内に、前記非対応電気機器が前記応答動作として出力する音が存在するか否かを判定する、
機器制御システム。
【請求項８】
請求項５又は６に記載の機器制御システムであって、
前記通信規格は、ECHONET Lite（登録商標）規格であり、前記制御コードは、ECHONET Lite（登録商標）規格におけるプロパティコードである、
機器制御システム。
【請求項９】
請求項５に記載の機器制御システムにおける前記アダプタであって、
前記通信規格における前記非対応電気機器に対応する制御コードと前記非対応電気機器のリモコンコードとの対応を示す情報である変換情報を記憶する変換情報記憶部と、
前記通信ネットワークを介して前記非対応電気機器を対象とした前記電文を受信した場合に、前記変換情報に基づき、前記電文に含まれている前記制御コードに対応する前記リモコンコードを取得し、取得した前記リモコンコードを含むリモコン信号を送信するリモコン信号送信部と、
前記リモコン信号取得ユニットから前記リモコン信号の前記リモコン信号情報を受信するリモコン信号情報受信部と、
物理量計測値取得ユニットから前記物理量計測値を受信する物理量計測値受信部と、
前記物理量計測値に基づき、前記リモコン信号取得ユニットが前記リモコン信号を受信した時刻の前又は後の所定期間内に、前記非対応電気機器の前記応答動作に起因する前記物理量の変化が存在するか否かを判定し、前記非対応電気機器の前記応答動作に起因する前記物理量の変化が存在すると判定した場合に、前記リモコン信号情報に含まれるリモコンコードを取得し、前記変換情報に基づき、前記リモコンコードに対応する前記制御コードを取得し、前記リモコン信号情報から前記リモコン信号による制御後の前記非対応電気機器の動作状態を示す情報を取得し、取得した情報を前記制御コードと対応づけて記憶する、プロパティ値管理部と、
を備えるアダプタ。
【請求項１０】
請求項９に記載のアダプタであって、
前記通信ネットワークを介して前記動作状態を示す情報の提供要求を受信し、受信した提供要求で要求される前記動作状態を示す情報を前記提供要求の送信元に送信する動作状態情報提供部、
をさらに備えるアダプタ。
【請求項１１】
請求項９又は１０に記載のアダプタであって、
前記物理量は音量であり、
前記プロパティ値管理部は、前記リモコン信号取得ユニットが前記リモコン信号を受信した時刻の前又は後の所定期間内に、前記非対応電気機器が前記応答動作として出力する音が存在するか否かを判定する、
アダプタ。
【請求項１２】
請求項９又は１０に記載のアダプタであって、
前記通信規格は、ECHONET Lite（登録商標）規格であり、前記制御コードは、ECHONET Lite（登録商標）規格におけるプロパティコードである
アダプタ。
【発明の詳細な説明】
【技術分野】
【０００１】
この発明は、機器制御システムの制御方法、機器制御システム、及びアダプタに関する。
【背景技術】
【０００２】
特許文献１には、家電機器から所定の音響信号として出力される製品情報を分析して家電機器の状態を点検し、アフタサービスを容易にすることを目的として構成された家電機器の診断システムについて記載されている。家電機器の診断システムは、製品情報が含まれた変調信号を音響信号として出力する少なくとも一つの家電機器と、家電機器から出力された音響信号を受信して、家電機器に関する故障診断を行う診断サーバと、を含み、診断サーバは、音響信号から製品情報を検出し、製品情報に含まれた各データ項目間の相関に応じて、複数のデータ項目に基づいて家電機器を診断する。【０００３】
特許文献２には、現状の点灯状態が分からなくても照明機器を目標点灯状態となるように遠隔制御する照明機器制御システムについて記載されている。照明機器制御システムは、中央制御部と、中央制御部とネットワークを介して接続され照明機器へリモコン信号を送信して照明機器の点灯状態を制御する照明制御部と、照明機器の照度を検出する照度検出部とを備える。照明制御部は、中央制御部からネットワークを介して送信されるリモコン信号生成情報と照度検出部から伝送される照度情報とに基づき、照明機器を目標点灯状態に導くようにリモコン信号を生成する。
【先行技術文献】
【特許文献】
【０００４】
【特許文献１】特表２０１２−５２３７４１号公報
【特許文献２】特開２００７−１４１７７１号公報
【非特許文献１】エコーネットコンソーシアム、”ECHONET Lite規格書 Ver.1.12（日本語版、英語版）”、［online］、1997-2016、［平成28年5月10日検索］、インターネット〈URL：http://echonet.jp/spec/〉
【発明の概要】
【発明が解決しようとする課題】
【０００５】
ＨＥＭＳ（Home Energy Management System）を構成する通信ネットワークに関する規格としてECHONET Lite（登録商標）規格がある（非特許文献１）。上記規格では、当該規格に準拠した通信ネットワークに接続される電気機器について、（１）電気機器がフルECHONET Lite機器である場合、（２）ECHONET Lite レディ機器である場合、及び（３）ECHONET Lite（登録商標）規格に対応していない電気機器の３つの場合について規定されている。【０００６】
ここで電気機器がフルECHONET Lite機器である場合（上記（１））、直接上記規格に準拠した通信ネットワークに接続することが可能である。また電気機器がECHONET Lite レディ機器である場合（上記（２））、ECHONET Liteミドルウェアアダプタを追加することで上記通信ネットワークに接続することができる。【０００７】
一方、電気機器がECHONET Lite（登録商標）規格に対応していない機器である場合（上記（３））、電気機器ごとに個別のアダプタを用意する必要があり、ECHONET Lite（登録商標）規格に準拠した通信ネットワークに必ずしも簡単に接続することができない。【０００８】
本発明は、こうした背景に鑑みてなされたものであり、所定の通信規格に対応していない電気機器を、上記通信規格に準拠した通信ネットワークから確実に制御できるようにするための、機器制御システムの制御方法、機器制御システム、及びアダプタを提供することを目的としている。
【課題を解決するための手段】
【０００９】
上記目的を達成するための本発明のうちの一つは、所定の通信規格に準拠した通信ネットワークに接続し、前記通信ネットワークを介して送られてくる電文を受信し、前記電文の内容に応じて、前記通信ネットワークに非対応の電機機器である非対応電気機器を制御するアダプタと、前記アダプタと通信し、前記非対応電気機器に対して送信されたリモコン信号を受信し、受信したリモコン信号を含む情報であるリモコン信号情報を前記アダプタに送信する、リモコン信号取得ユニットと、前記アダプタと通信し、前記非対応電気機器の周辺にて前記非対応電気機器が前記リモコン信号を受信した際の応答動作によって影響される物理量を時系列的に計測し、計測した値である物理量計測値をアダプタに送信する、物理量計測値取得ユニットと、を含んで構成される機器制御システムの制御方法であって、前記アダプタが、前記通信規格における前記非対応電気機器に対応する制御コードと前記非対応電気機器のリモコンコードとの対応を示す情報である変換情報を記憶するステップ、前記通信ネットワークを介して前記非対応電気機器を対象とした前記電文を受信した場合に、前記変換情報に基づき、前記電文に含まれている前記制御コードに対応する前記リモコンコードを取得し、取得した前記リモコンコードを含むリモコン信号を送信するステップ、前記リモコン信号取得ユニットから前記リモコン信号の前記リモコン信号情報を受信するステップ、前記物理量計測値取得ユニットから前記物理量計測値を受信するステップ、前記物理量計測値に基づき、前記リモコン信号取得ユニットが前記リモコン信号を受信した時刻の前又は後の所定期間内に、前記非対応電気機器の前記応答動作に起因する前記物理量の変化が存在するか否かを判定するステップ、前記非対応電気機器の前記応答動作に起因する前記物理量の変化が存在すると判定した場合に、前記リモコン信号情報に含まれるリモコンコードを取得するステップ、前記変換情報に基づき、前記リモコンコードに対応する前記制御コードを取得するステップ、前記リモコン信号情報から前記リモコン信号による制御後の前記非対応電気機器の動作状態を示す情報を取得し、取得した情報を前記制御コードと対応づけて記憶するステップ、を実行するというものである。【００１０】
このように本発明においては、アダプタが、通信規格における非対応電気機器に対応する制御コードとリモコンコードとの対応を示す情報である変換情報を記憶し、通信ネットワークを介して非対応電気機器を対象とした電文を受信すると、変換情報に基づき、電文に含まれている制御コードに対応するリモコンコードを取得し、取得したリモコンコードを含むリモコン信号を送信するので、非対応電気機器を、所定の通信規格に準拠した通信ネットワークから制御することができる。またアダプタは、リモコン信号取得ユニットからリモコン信号情報を受信し、物理量計測値取得ユニットから物理量計測値を受信し、これらに基づき非対応電気機器がリモコン信号を受け付けたことを確認する。そのため、アダプタは、リモコン信号を送信した後、非対応電気機器の制御が正しく行われたか否かを把握することができる。【００１１】
本発明の他の一つは、上記機器制御システムの制御方法であって、前記アダプタが、前記通信ネットワークを介して前記動作状態を示す情報の提供要求を受信し、受信した前記提供要求で要求される前記動作状態を示す情報を前記提供要求の送信元に送信するステップ、をさらに実行するというものである。【００１２】
本発明によれば、通信ネットワークに接続するＨＥＭＳサーバやＨＥＭＳ端末等の他の装置に非対応電気機器の動作状態を示す情報を提供することができる。そのため、例えば、他の装置は、アダプタを介して非対応電気機器の制御を行った後、制御が正しく行われたか否かを把握することができる。【００１３】
本発明の他の一つは、上記機器制御システムの制御方法であって、前記物理量は音量であり、前記アダプタは、前記リモコン信号取得ユニットが前記リモコン信号を受信した時刻の前又は後の所定期間内に、前記非対応電気機器が前記応答動作として出力する音が存在するか否かを判定する、というものである。【００１４】
本発明によれば、アダプタは、非対応電気機器がリモコン信号を受信したか否かを確実に判定することができる。【００１５】
尚、上記所定の通信規格は、例えば、ECHONET Lite（登録商標）規格であり、上記制御コードは、例えば、ECHONET Lite（登録商標）規格におけるプロパティコードである。【００１６】
その他、本願が開示する課題、及びその解決方法は、発明を実施するための形態の欄、及び図面により明らかにされる。
【発明の効果】
【００１７】
本発明によれば、所定の通信規格に対応していない電気機器を、上記通信規格に準拠した通信ネットワークから確実に制御することができる。
【図面の簡単な説明】
【００１８】
【図１】機器制御システム１の概略的な構成を示す図である。
【図２】非対応電気機器２のハードウェア構成である。
【図３】リモコン装置３のハードウェア構成である。
【図４】対応電気機器４のハードウェア構成である。
【図５】ＨＥＭＳサーバ６のハードウェア構成である。
【図６】ＨＥＭＳサーバ６の機能及びＨＥＭＳサーバ６が記憶するデータを示す図である。
【図７】プロパティ情報６５１の一例である。
【図８】ＨＥＭＳ端末７のハードウェア構成である。
【図９】ＨＥＭＳ端末７の機能及びＨＥＭＳ端末７が記憶するデータを示す図である。
【図１０】変換情報７５２の一例である。
【図１１】アダプタ１０のハードウェア構成である。
【図１２】アダプタ１０の機能及びアダプタ１０が記憶するデータを示す図である。
【図１３Ａ】変換情報５０の一例である。
【図１３Ｂ】リモコン信号情報５１の一例である。
【図１３Ｃ】物理量計測値５２の一例である。
【図１３Ｄ】プロパティ情報５５の一例である。
【図１４Ａ】リモコン信号取得ユニット８１のハードウェア構成である。
【図１４Ｂ】リモコン信号取得ユニット８１の機能を示す図である。
【図１５Ａ】物理量計測値取得ユニット８２のハードウェア構成である。
【図１５Ｂ】物理量計測値取得ユニット８２の機能を示す図である。
【図１６】変換情報設定処理Ｓ１６００を説明するフローチャートである。
【図１７Ａ】機器オブジェクト指定画面１７０１の一例である。
【図１７Ｂ】プロパティ指定画面１７０２の一例である。
【図１７Ｃ】変換情報確認画面１７０３の一例である。
【図１８】機器制御処理Ｓ１８００を説明するフローチャートである。
【図１９】動作状態取得処理Ｓ１９００を説明するフローチャートである。
【図２０Ａ】機器オブジェクト指定画面２００１の一例である。
【図２０Ｂ】プロパティ情報確認画面２００２の一例である。
【発明を実施するための形態】
【００１９】
図１に本発明の一実施形態として説明する機器制御システム１の概略的な構成を示している。同図に示すように、機器制御システム１は、ECHONET Lite（登録商標）規格に準拠した通信ネットワークであるＨＥＭＳネットワーク５（HEMS:Home Energy Management System）と、ＨＥＭＳネットワーク５に接続する、ＨＥＭＳサーバ６、ＨＥＭＳ端末７、リモコン信号取得ユニット８１、物理量計測値取得ユニット８２、及びアダプタ１０と、ECHONET Lite（登録商標）規格に非対応の電気機器（以下、非対応電気機器２と称する。）と、を含む。機器制御システム１は、ＨＥＭＳネットワーク５に接続する、ECHONET Lite（登録商標）規格に対応した１つ以上の電気機器（以下、対応電気機器４と称する。）をさらに含んでいてもよい。機器制御システム１において、アダプタ１０は、対応電気機器４の一つと見なすことができる。
【００２０】
電気機器（非対応電気機器２，対応電気機器４）は、例えば、エアコン、ＡＶ機器（テレビ、ビデオデッキ、オーディオ機器、各種レコーダ等）、扇風機、加湿器、照明器具等である。
【００２１】
ＨＥＭＳネットワーク５においては、例えば、下位層として、有線又は無線の伝送媒体（例えば、ＬＡＮ（Local Area Network、ＰＬＣ（Power Line Communication）、無線ＬＡＮ、Ｂｌｕｅｔｏｏｔｈ（登録商標）、９２０ＭＨｚ帯無線通信等）が、また中間層として、例えば、ＵＤＰ／ＩＰ等の通信規格が用いられる。
【００２２】
非対応電気機器２には、当該非対応電気機器２を遠隔制御するためのリモコン装置３が付帯している。リモコン装置３から送信されるリモコン信号の種類は問わないが（例えば、Ｂｌｕｅｔｏｏｔｈ（登録商標）や９２０ＭＨｚ帯無線通信等を利用したものでもよい）、本実施形態では赤外線信号（例えば、ＩｒＤＡ（Infrared Data Association）規格に準拠した赤外線信号）であるものとする。リモコン信号は、一連の符号（コード）を含んだ所定のデータフォーマットで構成されている。上記データフォーマットとして、例えば、ＮＥＣ（登録商標）フォーマット、家製協（登録商標）フォーマット、ＳＯＮＹ（登録商標）フォーマット等がある。
【００２３】
ＨＥＭＳサーバ６は、例えば、ＨＥＭＳネットワーク５が設けられている需要家における電力使用に関する情報の蓄積や提供、対応電気機器４の状態監視や制御、発電／売電状況の状態監視や制御、節電情報の提供等の様々なサービスを行う。ＨＥＭＳサーバ６は、例えば、スマートメータの機能を備えるものであってもよい。ＨＥＭＳサーバ６は、ECHONET Lite （登録商標）に関する情報（例えば、プロパティ情報）を記憶し、ＨＥＭＳネットワーク５を介してＨＥＭＳ端末７等に随時上記情報の提供を行う。
【００２４】
ＨＥＭＳ端末７は、ＨＥＭＳネットワーク５を介して対応電気機器４にECHONET Lite（登録商標）に準拠した電文（以下、「電文」という場合は、ECHONET Lite フレームを指すものとする。）を送信することにより、対応電気機器４を制御することができる。またＨＥＭＳ端末７は、ＨＥＭＳネットワーク５を介してアダプタ１０に電文を送信することで非対応電気機器２を制御することができる。
【００２５】
リモコン信号取得ユニット８１は、アダプタ１０やリモコン装置３から非対応電気機器２に向けて送信されたリモコン信号を受信し、受信したリモコン信号の内容を設定した情報であるリモコン信号情報をアダプタ１０に送信する。リモコン信号取得ユニット８１は、非対応電気機器２に向けて送信されたリモコン信号を受信し易い位置に設けられる。
【００２６】
物理量計測値取得ユニット８２は、非対応電気機器２の周辺にて非対応電気機器２がリモコン信号を受信した際の応答動作によって影響される物理量を時系列的に計測し、計測した値である物理量計測値をアダプタ１０に送信する。上記物理量は、例えば、リモコン信号を受信した際に非対応電気機器２が出力する音（ピ音等）や光（非対応電気機器２が備える後述の表示装置２３が出力する光等）である。また例えば、上記物理量は、非対応電気機器２の消費電力（又は消費電力量）である。尚、上記の非対応電気機器２の周辺とは、非対応電気機器２がリモコン信号を受信した際の応答動作によって上記物理量がその影響を受ける範囲をいう。
【００２７】
アダプタ１０は、ＨＥＭＳ端末７から送られてくるECHONET Lite（登録商標）の電文の内容に応じて、非対応電気機器２に付帯するリモコン装置３から送信されるリモコン信号のリモコンコードと同等のリモコンコードを含んだリモコン信号を送信する。アダプタ１０は、ECHONET Lite （登録商標）における制御コードであるプロパティコードとリモコンコードとを対応づけた後述の変換情報５０を記憶し、この変換情報５０を用いて、プロパティコードからリモコンコードへの変換、もしくはその逆の変換を行う。
【００２８】
アダプタ１０は、リモコン信号取得ユニット８１から、前述したリモコン信号情報を随時受信する。またアダプタ１０は、物理量計測値取得ユニット８２から、前述した物理量計測値を随時受信する。アダプタ１０は、受信したリモコン信号情報及び物理量計測値に基づき、リモコン装置３やアダプタ１０によって非対応電気機器２に行われたモコン信号による制御が正しく行われた否かを把握する。またアダプタ１０は、受信したリモコン信号情報及び物理量計測値に基づき、後述するプロパティ情報５５を更新する。またアダプタ１０は、後述するプロパティ情報５５の内容を、ＨＥＭＳネットワーク５を介してＨＥＭＳサーバ６やＨＥＭＳ端末７に提供（送信）する。
【００２９】
図２に非対応電気機器２のハードウェア構成を示している。同図に示すように、非対応電気機器２は、マイコン２１、入力装置２２、表示装置２３、制御機構２４、及びリモコン通信装置２５を備える。マイコン２１は、プロセッサ及び記憶素子を含む。入力装置２２は、ユーザが非対応電気機器２の設定や操作を行うためのユーザインタフェースであり、例えば、ボタン、スイッチ、タッチパネル等である。表示装置２３は、非対応電気機器２の動作状態等の情報を表示するユーザインタフェースであり、例えば、ＬＣＤ（Liquid Crystal Display）やＬＥＤ等である。制御機構２４は、非対応電気機器２の機能を実現する電子素子や機械部品等で構成され、例えば、マイコン２１によって制御される。リモコン通信装置２５は、リモコン装置３やアダプタ１０から送られてくるリモコン信号を受信し、リモコン信号の内容をマイコン２１に伝える。またリモコン通信装置２５は、マイコン２１から送られてくる情報等を含んだリモコン信号を送信する。
【００３０】
図３にリモコン装置３のハードウェア構成を示している。同図に示すように、リモコン装置３は、マイコン３１、入力装置３２、表示装置３３、及びリモコン通信装置３４を備える。マイコン３１は、プロセッサ及び記憶素子を含む。入力装置３２は、ユーザが非対応電気機器２の設定や操作を行うためのユーザインタフェースであり、例えば、ボタンやスイッチ等である。表示装置２３は、非対応電気機器２の動作状態等を表示するユーザインタフェースであり、例えば、ＬＣＤ等である。リモコン通信装置３４は、マイコン３１から送られてくる情報等を含んだリモコン信号を送信する。またリモコン通信装置３４は、非対応電気機器２から送られてくるリモコン信号を受信し、リモコン信号の内容をマイコン３１に伝える。
【００３１】
図４に対応電気機器４のハードウェア構成を示している。同図に示すように、対応電気機器４は、マイコン４１、入力装置４２、表示装置４３、制御機構４４、及びＨＥＭＳ通信装置４５を備える。マイコン４１は、プロセッサ及び記憶素子を含む。入力装置４２は、ユーザが対応電気機器４の設定や操作を行うためのユーザインタフェースであり、例えば、ボタン、スイッチ、タッチパネル等である。表示装置４３は、対応電気機器４の動作状態等の情報を表示するユーザインタフェースであり、例えば、ＬＣＤやＬＥＤ等である。制御機構４４は、対応電気機器４の機能を実現する電子素子や機械部品等で構成され、例えば、マイコン４１によって制御される。ＨＥＭＳ通信装置４５は、ＨＥＭＳネットワーク５を介して他の装置と通信する。
【００３２】
図５にＨＥＭＳサーバ６のハードウェア構成を示している。同図に示すように、ＨＥＭＳサーバ６は、プロセッサ６１、記憶装置６２、入力装置６３、表示装置６４、及びＨＥＭＳ通信装置６５を備える。プロセッサ６１は、例えば、ＣＰＵ（Central Processing Unit）やＭＰＵ（Micro Processing Unit）を用いて構成されている。記憶装置６２は、ＲＡＭ（Random Access Memory）、ＲＯＭ（Read Only Memory）、ＮＶＲＡＭ（Non Volatile RAM）、ハードディスクドライブ、ＳＳＤ（Solid State Drive）等であり、プログラムやデータを記憶する。入力装置６３は、情報の入力を行うユーザインタフェース（タッチパネル、キーパッド、キーボード、マウス等）である。表示装置６４は、情報をユーザに提供するユーザインタフェースであり、例えば、ＬＣＤやＬＥＤ等である。ＨＥＭＳ通信装置６５は、ＨＥＭＳネットワーク５を介して他の装置と通信を行う。
【００３３】
図６にＨＥＭＳサーバ６の機能及びＨＥＭＳサーバ６が記憶するデータを示している。同図に示すように、ＨＥＭＳサーバ６は、各種機能部６１１、プロパティ情報取得部６１２、プロパティ情報記憶部６１３、及びプロパティ情報提供部６１４の各機能を備える。これらの機能は、プロセッサ６１が、記憶装置６２に格納されているプログラムを読み出して実行することにより、もしくはＨＥＭＳサーバ６が備えるＡＳＩＣ（Application Specific Integrated Circuit）等のハードウェアにより実現される。また同図に示すように、ＨＥＭＳサーバ６は、プロパティ情報６５１を記憶する。ＨＥＭＳサーバ６は、プロパティ情報６５１を、例えば、ＤＢＭＳ（DataBase Management System）によって実現されるデータベースに管理する。
【００３４】
各種機能部６１１は、ＨＥＭＳサーバ６が備える様々な機能、例えば、需要家における電力使用に関する情報の蓄積や提供、対応電気機器４の状態監視や制御、発電／売電状況の状態監視や制御、節電情報の提供等の機能を提供する。
【００３５】
プロパティ情報取得部６１２は、ＨＥＭＳネットワーク５を介してアダプタ１０からプロパティ情報を取得する。
【００３６】
プロパティ情報記憶部６１３は、プロパティ情報取得部６１２が取得したプロパティ情報をプロパティ情報６５１として記憶する。
【００３７】
プロパティ情報提供部６１４は、入力装置６３を介したユーザからの要求、もしくはＨＥＭＳ端末７等のＨＥＭＳネットワーク５に接続する他の装置から送られてくる要求に応じて、もしくは自発的に、プロパティ情報６５１の一部又は全部を随時提供（表示装置６４への出力、ＨＥＭＳネットワーク５を介した情報送信等）する。またプロパティ情報提供部６１４は、プロパティ情報５５を、例えば、ＣＳＶ（Comma-Separated Values)形式等の汎用的なフォーマットで他の装置に提供する。
【００３８】
プロパティ情報６５１は、ECHONET Lite （登録商標）規格における機器オブジェクト（ECHONET機器オブジェクト）ごとに規定された、上記機器オブジェクトの設定や制御を指示する際に用いるコードであるプロパティコードに関する情報、対応電気機器４やアダプタ１０から提供される、対応電気機器４や非対応電気機器２の動作状態を示す情報（後述するプロパティ値）を含む。ECHONET Lite （登録商標）規格に規定されているように、ＨＥＭＳネットワーク５に接続する装置間でＨＥＭＳネットワーク５を介して送受信される電文には、例えば、ECHONET Lite プロパティ（ＥＰＣ）としてプロパティコードが設定される。
【００３９】
図７にプロパティ情報６５１の一例を示す。同図に示すように、プロパティ情報６５１は、プロパティ名称６５１１、プロパティコード６５１２、及びプロパティ値６５１３の各項目を含む一つ以上のレコードで構成される。一つのレコードはECHONET Lite（登録商標）規格における一つのプロパティに対応している。プロパティ名称６５１１には、ECHONET Lite （登録商標）規格におけるプロパティ名称が設定される。プロパティコード６５１２には、ECHONET Lite（登録商標）規格におけるプロパティコードが設定される。プロパティ値６５１３には、対応電気機器４やアダプタ１０から提供される、対応電気機器４や非対応電気機器２のプロパティ値が設定される。プロパティ値６５１３には、プロパティコード６５１２に応じた値（運転モード、温度設定値等）が設定される。
【００４０】
図８にＨＥＭＳ端末７のハードウェア構成を示している。同図に示すように、ＨＥＭＳ端末７は、プロセッサ７１、記憶装置７２、入力装置７３、表示装置７４、及びＨＥＭＳ通信装置７５を備える。プロセッサ７１は、例えば、ＣＰＵやＭＰＵを用いて構成されている。記憶装置７２は、ＲＡＭ、ＲＯＭ、ＮＶＲＡＭ、ハードディスクドライブ、ＳＳＤ等であり、プログラムやデータを記憶する。入力装置７３は、情報の入力を行うユーザインタフェース（タッチパネル、キーパッド、キーボード、マウス等）である。表示装置７４は、情報をユーザに提供するユーザインタフェースであり、例えば、ＬＣＤ等である。ＨＥＭＳ通信装置７５は、ＨＥＭＳネットワーク５を介した通信機能を提供する。
【００４１】
図９にＨＥＭＳ端末７の機能及びＨＥＭＳ端末７が記憶するデータを示している。同図に示すように、ＨＥＭＳ端末７は、各種機能部７１１、プロパティ情報取得部７１２、プロパティ情報記憶部７１３（制御コード記憶部）、リモコンコード受信部７１４、変換情報記憶部７１５、変換情報送信部７１６、非対応電気機器制御部７１７、及びプロパティ情報提供部７１８の各機能を備える。これらの機能は、プロセッサ７１が、記憶装置７２に格納されているプログラムを読み出して実行することにより、もしくはＨＥＭＳ端末７が備えるＡＳＩＣ等のハードウェアにより実現される。尚、ＨＥＭＳ端末７が、例えば、スマートフォンである場合、これらの機能は、例えば、ＨＥＭＳ端末７に専用のアプリケーションを導入（インストール）することにより実現することができる。同図に示すように、ＨＥＭＳ端末７は、プロパティ情報７５１及び変換情報７５２を記憶する。
【００４２】
上記機能のうち、各種機能部７１１は、ＨＥＭＳ端末７が備える様々な機能、例えば、対応電気機器４の設定や状態監視、制御等の機能を提供する。
【００４３】
プロパティ情報取得部７１２は、ＨＥＭＳネットワーク５を介して、ＨＥＭＳサーバ６やアダプタ１０から、対応電気機器４や非対応電気機器２のプロパティ情報を取得する。
【００４４】
プロパティ情報記憶部７１３は、プロパティ情報取得部７１２が取得したプロパティ情報をプロパティ情報７５１として記憶する。
【００４５】
リモコンコード受信部７１４は、ＨＥＭＳネットワーク５を介してアダプタ１０からリモコンコードを受信する。
【００４６】
変換情報記憶部７１５は、プロパティ情報７５１に含まれるプロパティコードとリモコンコードとの対応を示す情報である変換情報７５２を記憶する。変換情報送信部７１６は、変換情報７５２を随時アダプタ１０に送信する。
【００４７】
非対応電気機器制御部７１７は、ユーザから受け付けた操作入力に応じて、非対応電気機器２を制御するための電文を生成し、生成した電文をアダプタ１０に送信する。
【００４８】
図１０に変換情報７５２の一例を示す。同図に示すように、変換情報７５２は、プロパティ名称７５２１、プロパティコード７５２２、及びリモコンコード７５２３の各情報を対応づけた１つ以上のレコードで構成される。このうちプロパティ名称７５２１には、ECHONET Lite （登録商標）における、非対応電気機器２に対応する機器オブジェクトのプロパティ情報のプロパティ名称が設定される。プロパティコード７５２２には、非対応電気機器２に対応する機器オブジェクトのプロパティ情報のプロパティコードが設定される。リモコンコード７５２３には、プロパティコード７５２２に対応するリモコンコードが設定される。
【００４９】
プロパティ情報提供部７１８は、入力装置７３を介して行われるユーザからの要求、もしくはＨＥＭＳサーバ６等のＨＥＭＳネットワーク５に接続する他の装置からの要求に応じて、もしくは自発的に、プロパティ情報７５１の一部又は全部を随時提供（表示装置７４への出力、ＨＥＭＳネットワーク５を介した情報送信等）する。またプロパティ情報提供部７１８は、プロパティ情報５５を、例えば、ＣＳＶ形式等の汎用的なフォーマットで他の装置に提供する。プロパティ情報７５１の内容は、前述したプロパティ情報６５１と同様である。
【００５０】
図１１にアダプタ１０のハードウェア構成を示している。同図に示すように、アダプタ１０は、マイコン１１、ＨＥＭＳ通信装置１２、リモコン通信装置１３、及び対ユニット通信装置１４を備える。マイコン１１は、プロセッサ、記憶素子（メモリ等）、及び計時装置（ＲＴＣ（Real Time Clock）等）を含む。ＨＥＭＳ通信装置１２は、ＨＥＭＳネットワーク５を介した通信を行う。リモコン通信装置１３は、非対応電気機器２やリモコン装置３との間でリモコン信号の送信や受信を行う。対ユニット通信装置１４は、リモコン信号取得ユニット８１や物理量計測値取得ユニット８２と通信（無線通信又は有線通信）する。
【００５１】
図１２にアダプタ１０の機能及びアダプタ１０が記憶するデータを示している。同図に示すように、アダプタ１０は、変換情報設定部１１１、リモコン信号送信部１１２、リモコン信号情報受信部１１４、物理量計測値受信部１１５、及びプロパティ値管理部１１６の各機能を備える。また変換情報設定部１１１は、リモコン信号受信部１１１１、リモコン信号解析部１１１２、リモコンコード送信部１１１３、変換情報受信部１１１４、及び変換情報記憶部１１１５の各機能を含む。またリモコン信号送信部１１２は、電文受信部１１２１、コード変換部１１２２、及びリモコン信号送信部１１２３の各機能を含む。アダプタ１０が備える以上の機能は、マイコン１１がプログラムを実行することにより、もしくはアダプタ１０が備えるＡＳＩＣ等のハードウェアにより実現される。また同図に示すように、アダプタ１０は、変換情報５０、リモコン信号情報５１、物理量計測値５２、及びプロパティ情報５５を記憶する。
【００５２】
変換情報設定部１１１は、ＨＥＭＳ端末７から送られてくる変換情報７５２に基づき変換情報５０を生成して記憶する。
【００５３】
リモコン信号受信部１１１１は、リモコン装置３から送られてくるリモコン信号を受信する。リモコン信号解析部１１１２は、リモコン信号受信部１１１１が受信したリモコン信号を解析して当該リモコン信号に含まれているリモコンコードを取得する。リモコンコード送信部１１１３は、リモコン信号解析部１１１２が取得したリモコンコードを、ＨＥＭＳネットワーク５を介してＨＥＭＳ端末７に送信する。
【００５４】
変換情報受信部１１１４は、ＨＥＭＳ端末７から送られてくる変換情報７５２を受信する。変換情報記憶部１１１５は、変換情報受信部１１１４が受信した変換情報７５２に基づき変換情報５０を生成して記憶する。
【００５５】
図１３Ａに変換情報５０の一例を示す。同図に示すように、変換情報５０は、プロパティ名称５０１、プロパティコード５０２、及びリモコンコード５０３の各情報を対応づけた１つ以上のレコードで構成される。このうちプロパティ名称５０１には、ECHONET Lite （登録商標）における、非対応電気機器２に対応する機器オブジェクトのプロパティ情報のプロパティ名称が設定される。プロパティコード５０２には、非対応電気機器２に対応する機器オブジェクトのプロパティ情報のプロパティコードが設定される。リモコンコード５０３には、プロパティコード５０２に対応するリモコンコードが設定される。尚、変換情報５０に、プロパティコードに付随するプロパティ値と、リモコンコードを構成（もしくはリモコンコードに付随）する制御情報（例えば、非対応電気機器２の電源をオン又はオフを指定する値、非対応電気機器２がエアコンである場合の温度設定値、非対応電気機器２が照明である場合の照度設定値等）との対応を示す情報を含ませてもよい。
【００５６】
図１２に戻り、リモコン信号送信部１１２は、ＨＥＭＳ端末７から送られてくる電文に含まれているプロパティコードに対応するリモコンコードを変換情報５０から取得し、取得したリモコンコードを含むリモコン信号を送信する。
【００５７】
電文受信部１１２１は、ＨＥＭＳネットワーク５を介してＨＥＭＳ端末７から送られてくる電文を受信する。コード変換部１１２２は、電文受信部１１２１が受信した電文に含まれているプロパティコードに対応するリモコンコードを変換情報５０から取得する。尚、コード変換部１１２２は、プロパティコードに付随するプロパティ値について、前述したリモコンコードの制御情報への変換が必要な場合はその変換も行う。リモコン信号送信部１１２３は、コード変換部１１２２が取得したリモコンコード（必要な場合は上記制御情報を含む）を含むリモコン信号を送信する。
【００５８】
リモコン信号情報受信部１１４は、リモコン信号取得ユニット８１から送られてくるリモコン信号情報を対ユニット通信装置１４を介して受信し、受信したリモコン信号情報を受信時刻と対応づけてリモコン信号情報５１として時系列的に記憶する。
【００５９】
図１３Ｂにリモコン信号情報５１の一例を示す。同図に示すように、リモコン信号情報５１は、リモコンコード５１１及び受信時刻５１２の各項目を有するレコード群で構成される。リモコンコード５１１には、リモコン信号取得ユニット８１から送られてくるリモコン信号情報に含まれていたリモコンコード（リモコン信号取得ユニット８１が受信したリモコン信号に前述した制御情報が付帯している場合は当該制御情報を含む。）が設定される。受信時刻５１２には、リモコン信号情報受信部１１４がリモコン信号取得ユニット８１から送られてくるリモコン信号情報を受信した時刻（もしくは、リモコン信号取得ユニット８１がリモコン信号を受信した時刻）が設定される。
【００６０】
図１２に戻り、物理量計測値受信部１１５は、物理量計測値取得ユニット８２から送られてくる物理量計測値を対ユニット通信装置１４を介して受信し、受信した物理量計測値を受信時刻と対応づけて物理量計測値５２として時系列的に記憶する。物理量計測値は、例えば、横軸に時間、縦軸に物理量の大きさを設定したグラフとして表すことができる。
【００６１】
図１３Ｃに物理量計測値５２の一例を示す。同図に示すように、物理量計測値５２は、物理量計測値５２１及び計測期間５２２の各項目を有するレコード群で構成される。物理量計測値５２１には、計測期間５２２に非対応電気機器２の周辺で計測された時系列的な物理量が設定される。
【００６２】
図１２に戻り、プロパティ値管理部１１６は、ＨＥＭＳサーバ６やＨＥＭＳ端末７から送られてくるプロパティ情報５５の提供要求を受信すると、要求されたプロパティ情報５５を当該提供要求の送信元に提供（送信）する。
【００６３】
図１３Ｄにプロパティ情報５５の一例を示す。同図に示すように、プロパティ情報５５は、プロパティ名称５５１、プロパティコード５５２、及びプロパティ値５５３の各情報を対応づけた１つ以上のレコードで構成される。このうちプロパティ名称５５１には、ECHONET Lite （登録商標）における、非対応電気機器２に対応する機器オブジェクトのプロパティ情報のプロパティ名称が設定される。プロパティコード５５２には、非対応電気機器２に対応する機器オブジェクトのプロパティ情報のプロパティコードが設定される。プロパティ値５５３には、プロパティコード５５２に対応するプロパティ値が設定される。
【００６４】
図１４Ａにリモコン信号取得ユニット８１のハードウェア構成を示している。同図に示すように、リモコン信号取得ユニット８１は、マイコン８１１、記憶装置８１２、リモコン信号受信機８１３、及び通信装置８１４を備える。マイコン８１１は、プロセッサ、記憶素子（メモリ等）、及び計時装置（ＲＴＣ等）を含む。マイコン８１１の計時装置は、アダプタ１０のマイコン１１の計時装置や物理量計測値取得ユニット８２のマイコン８２１の計時装置と同期されている。
【００６５】
リモコン信号受信機８１３は、リモコン装置３やアダプタ１０から送信されたリモコン信号を受信し、リモコン信号に含まれている情報をマイコン２１に伝える。例えば、リモコン信号が赤外線を搬送波として用いるものである場合、リモコン信号受信機８１３は赤外線信号の受信機である。通信装置８１４は、アダプタ１０と通信（有線通信又は無線通信）する。
【００６６】
通信装置８１４は、例えば、ＵＳＢ、ＲＳ−４８５、ＲＳ−２３２Ｃ、ＺｉｇＢｅｅ（登録商標）、無線ＬＡＮ 、９２０ＭＨｚ帯無線通信、２．４ＧＨｚ帯無線通信等の通信規格に従ってアダプタ１０と通信する。
【００６７】
図１４Ｂにリモコン信号取得ユニット８１の機能を示している。同図に示すように、リモコン信号取得ユニット８１は、リモコン信号取得部８５１及びリモコン信号情報送信部８５２を備える。これらの機能は、マイコン８１１が、記憶装置に格納されているプログラムを読み出して実行することにより、もしくはリモコン信号取得ユニット８１が備えるＡＳＩＣ等のハードウェアにより実現される。
【００６８】
リモコン信号取得部８５１は、リモコン信号受信機８１３を介して、リモコン装置３やアダプタ１０から送信されたリモコン信号を受信する。
【００６９】
リモコン信号情報送信部８５２は、リモコン信号取得部８５１が受信したリモコン信号の内容を設定したリモコン信号情報を生成し、生成したリモコン信号情報を、通信装置８１４を介してアダプタ１０に送信する。
【００７０】
図１５Ａに物理量計測値取得ユニット８２のハードウェア構成を示している。同図に示すように、物理量計測値取得ユニット８２は、マイコン８２１、記憶装置８２２、センサ装置８２３、及び通信装置８２４を備える。マイコン８２１は、プロセッサ、記憶素子（メモリ等）、及び計時装置（ＲＴＣ等）を含む。
【００７１】
センサ装置８２３は、非対応電気機器２の周辺の物理量を計測する装置であり、例えば、音センサ（マイクロフォン等）や光センサ（可視光センサ、スペクトラムアナライザ等）である。またセンサ装置８２３は、非対応電機器２の消費電力を計測する電力計（又は電力量計）である。センサ装置８２３は、前述した物理量を計測しやすい位置に設けられる。例えば、センサ装置８２３が音センサである場合、センサ装置８２３は、非対応電気機器２が発する音（ピ音等）を拾いやすい位置に設けられる。またセンサ装置８２３が光センサである場合、センサ装置８２３は、その受光部に非対応電気機器２に設けられているＬＥＤ（Light Emitting Diode）等の表示器（非対応電気機器２のオンオフ状態や動作モードを表示する表示器）が出力する光が十分に入射するように位置させて設けられる。またセンサ装置８２３が電力計（又は電力量計）である場合、センサ装置８２３は、例えば、非対応電気機器２に商用電力を供給する配線の途中に介在させる、もしくは、上記配線が接続される差込プラグ（配線用差込接続器、コンセント）に組み込む等して設けられる。尚、電力計（又は電力量計）として、例えば、クランプメータ等の非接触型の計測器を利用してもよい。
【００７２】
通信装置８２４は、アダプタ１０と通信（有線通信又は無線通信）する。通信装置８２４は、例えば、ＵＳＢ、ＲＳ−４８５、ＲＳ−２３２Ｃ、ＺｉｇＢｅｅ（登録商標）、無線ＬＡＮ 、９２０ＭＨｚ帯無線通信、２．４ＧＨｚ帯無線通信等の通信規格に従ってアダプタ１０と通信する。
【００７３】
図１５Ｂに物理量計測値取得ユニット８２の機能を示している。同図に示すように、物理量計測値取得ユニット８２は、物理量計測値取得部８６１及び物理量計測値送信部８６２を備える。これらの機能は、マイコン８１１が、記憶装置に格納されているプログラムを読み出して実行することにより、もしくは物理量計測値取得ユニット８２が備えるＡＳＩＣ等のハードウェアにより実現される。
【００７４】
物理量計測値取得部８６１は、センサ装置８２３により計測される物理量を時系列的に取得（記憶）する。
【００７５】
物理量計測値送信部８６２は、物理量計測値取得部８６１が取得した物理量を通信装置８２４を介してアダプタ１０に送信する。
＝処理説明＝
【００７６】
［変換情報設定処理］
図１６は、機器制御システム１において行われる、変換情報５０の設定に関する処理（以下、変換情報設定処理Ｓ１６００と称する。）を説明するフローチャートである。以下、同図とともに変換情報設定処理Ｓ１６００について説明する。
【００７７】
まずＨＥＭＳ端末７が、ＨＥＭＳネットワーク５を介してアダプタ１０と通信を開始する（Ｓ１６１１，Ｓ１６５１）。ＨＥＭＳ端末７が、例えば、ＨＥＭＳネットワーク５にブロードキャストを送信してアダプタ１０の応答を待機し（アダプタ１０のサーチ）、ブロードキャストに応答してきたアダプタ１０との間で通信を開始するようにしてもよい。
【００７８】
続いて、ＨＥＭＳ端末７は、例えば、入力装置７３を介して、設定対象となる非対応電気機器２のECHONET（登録商標）機器オブジェクト（以下、機器オブジェクトと記載する。）の指定をユーザから受け付ける（Ｓ１６１２）。
【００７９】
図１７Ａに、上記受け付けに際してＨＥＭＳ端末７が表示する画面（以下、機器オブジェクト指定画面１７０１と称する。）の一例を示す。ＨＥＭＳ端末７は、機器オブジェクトの指定（例えば、機器オブジェクトの名称や識別子）を受け付けると、ＨＥＭＳネットワーク５を介して、受け付けた機器オブジェクトのプロパティ情報をＨＥＭＳサーバ６に要求する（Ｓ１６１３）。
【００８０】
ＨＥＭＳサーバ６は、上記要求を受信すると（Ｓ１６７１）、上記要求に指定されている機器オブジェクトのプロパティ情報をＨＥＭＳネットワーク５を介してＨＥＭＳ端末７に送信する（Ｓ１６７２）。
【００８１】
ＨＥＭＳ端末７は、ＨＥＭＳサーバ６からプロパティ情報を受信すると（Ｓ１６１４）、受信したプロパティ情報に含まれているプロパティ名称とプロパティコードとを記載した、変換情報５０の設定画面を表示し（Ｓ１６１５）、これから設定しようとするプロパティの指定をユーザから受け付ける（Ｓ１６１６）。
【００８２】
図１７Ｂに、上記設定画面（以下、プロパティ指定画面１７０２と称する。）の一例を示す。プロパティ指定画面１７０２において、ユーザはチェックボックス１７５１の一つを選択することにより、これから設定対象とするプロパティを指定することができる。
【００８３】
ＨＥＭＳ端末７は、プロパティの指定を受け付けると、ＨＥＭＳネットワーク５を介してアダプタ１０にリモコン信号の受信指示を送信する（Ｓ１６１７）。
【００８４】
アダプタ１０は、上記受信指示を受信すると（Ｓ１６５２）、リモコン装置３から送られてくるリモコン信号の受信を待機する。ユーザは、リモコン装置３のリモコン信号の送信部をアダプタ１０の方向に向け、Ｓ１４１５で指定したプロパティに対応する操作をリモコン装置３に行う。これにより上記操作に対応するリモコンコードを含むリモコン信号がアダプタ１０に向けて送信される。
【００８５】
アダプタ１０は、上記リモコン信号を受信すると（Ｓ１６５３）、受信したリモコン信号を解析してリモコン信号に含まれているリモコンコードを取得し（Ｓ１６５４）、取得したリモコンコードをＨＥＭＳ端末７に送信する（Ｓ１６５５）。
【００８６】
ＨＥＭＳ端末７は、リモコンコードを受信すると（Ｓ１６１８）、受信したリモコンコードとＳ１６１５で指定したプロパティとを対応づけた情報を、変換情報７５２として記憶する（Ｓ１６１９）。
【００８７】
図１７ＣにこのときにＨＥＭＳ端末７が表示する画面（以下、変換情報確認画面１７０３と称する。）の一例を示す。
【００８８】
続いて、ＨＥＭＳ端末７は、入力装置７３に対して所定の終了操作（例えば、図１７Ｃにおいて確定ボタン１７６１を選択する操作）が行われたか否かを判定する（Ｓ１６２０）。所定の終了操作が行われたと判定すると（Ｓ１６２０：ＹＥＳ）、ＨＥＭＳ端末７は、記憶している変換情報７５２をＨＥＭＳネットワーク５を介してアダプタ１０に送信する（Ｓ１６２１）。尚、Ｓ１６１４で受信したプロパティ情報の全てのプロパティについて設定が完了したことをもってＳ１６２１の処理に移行するとしてもよい。ＨＥＭＳ端末７が所定の終了操作が行われていないと判定すると（Ｓ１６２０：ＮＯ）、処理はＳ１６１６に戻り、未設定のプロパティについて以上と同様の処理が繰り返し行われる。
【００８９】
アダプタ１０は、ＨＥＭＳ端末７から変換情報７５２を受信すると（Ｓ１６５６）、受信した変換情報７５２を変換情報５０として記憶する（Ｓ１６５７）。
【００９０】
尚、以上に示した変換情報設定処理Ｓ１６００におけるＨＥＭＳ端末７の機能の全部または一部を、ＨＥＭＳサーバ６やアダプタ１０において実現するようにしてもよい。
【００９１】
［機器制御処理］
図１８は、ユーザがＨＥＭＳ端末７を操作して非対応電気機器２を制御する際に機器制御システム１において行われる処理（以下、機器制御処理Ｓ１８００と称する。）を説明するフローチャートである。以下、同図とともに機器制御処理Ｓ１８００について説明する。
【００９２】
まずＨＥＭＳ端末７は、非対応電気機器２を制御する画面（例えば、リモコン装置３と同等のボタンが設けられた画面）を表示し（Ｓ１８１１）、ユーザから非対応電気機器２の制御指示の入力を受け付ける（Ｓ１８１２）。
【００９３】
続いて、ＨＥＭＳ端末７は、受け付けた上記制御指示に応じたプロパティコードを設定した電文を、ＨＥＭＳネットワーク５を介してアダプタ１０に送信する（Ｓ１８１３）。
【００９４】
アダプタ１０は、上記電文を受信すると（Ｓ１８５１）、上記電文に設定されているプロパティコードを変換情報５０と対照して上記プロパティコードに対応するリモコンコードを取得し（Ｓ１８５２）、取得したリモコンコードを含むリモコン信号を送信する（Ｓ１８５３）。尚、上記リモコン信号には、上記電文にプロパティコードとともに含まれているプロパティ値に相当する制御情報（例えば、非対応電気機器２の電源をオン又はオフする指示、非対応電気機器２がエアコンである場合の温度設定値、非対応電気機器２が照明である場合の照度設定値等）が含まれる。
【００９５】
非対応電気機器２は、上記リモコン信号を受信すると（Ｓ１８７１）、受信したリモコン信号に応じた処理（設定、制御等）を実行する（Ｓ１８７２）。
【００９６】
尚、以上に示した機器制御処理Ｓ１８００におけるＨＥＭＳ端末７の機能の全部または一部を、ＨＥＭＳサーバ６やアダプタ１０において実現するようにしてもよい。
【００９７】
［動作状態取得処理］
アダプタ１０は、リモコン信号取得ユニット８１から取得したリモコン信号情報５１と物理量計測値取得ユニット８２から取得した物理量計測値５２とに基づき、非対応電気機器２の動作状態を特定し、特定した動作状態をプロパティ情報５５として記憶する。またアダプタ１０は、非対応電気機器２について管理しているプロパティ情報（プロパティ値）を、ＨＥＭＳサーバ６やＨＥＭＳ端末７に提供する。これにより、ＨＥＭＳサーバ６やＨＥＭＳ端末７は、アダプタ１０を介して非対応電気機器２の制御を行った後、当該制御が正しく行われたか否かを確認することができる。
【００９８】
図１９は、アダプタ１０が、リモコン信号情報５１及び物理量計測値５２を取得し、これらに基づき非対応電気機器２の動作状態を特定し、特定した動作状態をプロパティ情報５５として記憶し、プロパティ情報５５をＨＥＭＳサーバ６やＨＥＭＳ端末７に提供するまでの一連の処理（以下、動作状態取得処理Ｓ１９００と称する。）を説明するフローチャートである。以下、同図とともに動作状態取得処理Ｓ１９００について説明する。尚、以下では、前述した機器制御処理Ｓ１８００に従い、ＨＥＭＳ端末７がアダプタ１０を介して非対応電気機器２を制御した場合、即ち、アダプタ１０が非対応電気機器２にリモコン信号を送信した場合を例として説明する。また物理量計測値取得ユニット８２は、リモコン信号を受信した際に非対応電気機器２が発する音（ピ音等）を検出すべく、非対応電気機器２の周辺の音の大きさ（レベル）を時系列的な物理量として取得し、当該物理量を含んだ情報を物理量計測値としてアダプタ１０に送信するものとする。尚、アダプタ１０からリモコン信号を送信するのではなく、ユーザがリモコン装置３（例えば、非対応電気機器２に付属のリモコン装置）を操作して非対応電気機器２を制御した場合、即ち、非対応電気機器２に対してリモコン装置３からリモコン信号が送信された場合もアダプタ１０は非対応電気機器２の動作状態を把握することができる。
【００９９】
同図に示すように、アダプタ１０は、図１８に示した機器制御処理Ｓ１８００に従い、非対応電気機器２にリモコン信号を送信する（Ｓ１８５３）。
【０１００】
リモコン信号取得ユニット８１は、アダプタ１０から送信されたリモコン信号を受信すると、受信したリモコン信号の内容を設定したリモコン信号情報をアダプタ１０に送信する（Ｓ１９３１）。アダプタ１０は、リモコン信号情報を受信すると、これに受信時刻を対応づけてリモコン信号情報５１として記憶する（Ｓ１９１１）。
【０１０１】
物理量計測値取得ユニット８２は、物理量計測値をアダプタ１０に随時送信する（Ｓ１９３２）。アダプタ１０は、物理量計測値を受信すると、これにその計測期間を対応づけて物理量計測値５２として記憶する（Ｓ１９１２）。尚、物理量計測値取得ユニット８２が、物理量計測値を連続的にアダプタ１０に送信し、アダプタ１０が連続的に物理量計測値を受信する構成としてもよい。
【０１０２】
続いて、アダプタ１０は、物理量計測値５２に基づき、リモコン信号の受信時刻の前又は後の所定期間内に、非対応電気機器２の応答動作に起因する物理量の変化（非対応電気機器２が出力するリモコン信号の受信応答音）が存在するか否かを判定する（Ｓ１９１３）。上記所定期間内にリモコン信号の受信応答音が存在する場合（Ｓ１９１３：ＹＥＳ）、処理はＳ１９１４に進む。上記所定期間内にリモコン信号の受信音が存在しない場合（Ｓ１９１３：ＮＯ）、処理はＳ１９１７に進む。
【０１０３】
上記所定期間は、リモコン信号の受信時刻の前又は後において非対応電気機器２の応答動作に起因する物理量の変化を検出されることが期待される期間である。上記所定期間は、例えば、非対応電気機器２の特性に応じて適切な値に調節される。アダプタ１０は、上記判定を、例えば、上記所定期間に計測された音の中に受信音と確認できるような大きさ（予め設定された閾値を超える大きさ）の音が存在するか否かを調べることにより行う。またアダプタ１０は、例えば、上記所定期間内に計測された音量の最小レベルと最大レベルとの差が予め設定された閾値を超えるか否かを調べることにより行う。これによれば、周囲の騒音レベルが高い場合でも判定精度を確保することができる。またアダプタ１０は、例えば、上記所定期間に非対応電気機器２が受信音として発生する音（ピ音等）に特有の周波数の音が存在するか否かを調べることにより行う。尚、以上の判定条件の一部又は全部を組み合わせることによりアダプタ１０が総合的に上記判定を行うようにしてもよい。
【０１０４】
Ｓ１９１４では、アダプタ１０は、Ｓ１９１１で記憶したリモコン信号情報５１からリモコンコードを取得する。尚、上記リモコンコードは、プロパティ内容に相当する制御情報（例えば、非対応電気機器２の電源をオン又はオフする指示、非対応電気機器２がエアコンである場合の温度設定値、非対応電気機器２が照明である場合の照度設定値等）を含む。
【０１０５】
続いて、アダプタ１０は、変換情報５０を参照し、Ｓ２０１４で取得したリモコンコードに対応するプロパティコードを取得する（Ｓ１９１５）。そしてアダプタ１０は、取得したプロパティコードに対応するプロパティ情報５５を更新する。より詳細には、アダプタ１０は、取得したプロパティコードに対応するプロパティ情報５５のプロパティ値５５３を、Ｓ１９１４で取得したリモコンコードに含まれる制御情報に対応するプロパティ値に更新する。
【０１０６】
アダプタ１０は、以上のようにしてプロパティ情報５５の内容を最新の状態に維持する。またアダプタ１０は、ＨＥＭＳサーバ６やＨＥＭＳ端末７からの要求に応じて、もしくは自発的に、プロパティ情報５５の内容をＨＥＭＳサーバ６やＨＥＭＳ端末７に提供する。即ちアダプタ１０は、ＨＥＭＳサーバ６やＨＥＭＳ端末７からプロパティ情報５５（プロパティ値５５３）の提供要求を受信すると（Ｓ１９４１，Ｓ１９１７）、要求されたプロパティ情報５５（プロパティ値５５３）を要求元に返す（Ｓ１９１８，Ｓ１９４２）。これによりＨＥＭＳサーバ６やＨＥＭＳ端末７は、非対応電気機器２の最新の動作状態を把握することができる。またＨＥＭＳサーバ６やＨＥＭＳ端末７は、非対応電気機器２の最新の動作状態に関する情報をユーザに提供する。
【０１０７】
図２０Ａは、ユーザが、ＨＥＭＳサーバ６又はＨＥＭＳ端末７を利用して非対応電気機器２の動作状態を確認する際、ＨＥＭＳサーバ６又はＨＥＭＳ端末７が出力する画面（以下、機器オブジェクト指定画面２００１と称する。）の一例である。ＨＥＭＳサーバ６又はＨＥＭＳ端末７は、例えば、この機器オブジェクト指定画面２００１を介して、動作状態を確認しようとする非対応電気機器２を指定する。
【０１０８】
図２０Ｂは、機器オブジェクト指定画面２００１にて非対応電気機器２を指定した後に表示される画面（プロパティ情報確認画面２００２）である。ユーザは、プロパティ情報確認画面２００２に表示されるプロパティ値２００２１を参照することにより、非対応電気機器２の動作状態を確認することができる。
【０１０９】
尚、このように非対応電気機器２の動作状態を示す情報を画面に表示してユーザに確認させるのではなく、例えば、ＨＥＭＳサーバ６又はＨＥＭＳ端末７が、取得したプロパティ値に応じて所定の制御を行うようにしてもよい。上記制御として、例えば、非対応電気機器２をオンにするリモコン信号を送信したにも拘わらず非対応電気機器２の動作状態がオフのままである場合における、非対応電気機器２をオンさせるリモコン信号の再送信がある。また上記制御として、例えば、非対応電気機器２がエアコンである場合、動作モードを冷房に設定したにも拘わらず室温が低下しない場合における、動作モードを冷房に設定するリモコン信号の再送信がある。
【０１１０】
以上に説明したように、本実施形態の機器制御システム１は、非対応電気機器２を制御するリモコン装置３から送信されるリモコン信号と、ECHONET Lite（登録商標）規格における非対応電気機器２に対応する機器オブジェクトのプロパティコードとの対応を示す情報である変換情報５０を生成し、変換情報５０をアダプタ１０に記憶させる。そしてＨＥＭＳ端末７から上記ＨＥＭＳネットワーク５を介してアダプタ１０にプロパティコードが送信されると、アダプタ１０は変換情報５０に基づきプロパティコードをリモコンコードに変換し、変換したリモコンコードをリモコン信号に含ませて送信する。このように本実施形態の機器制御システム１によれば、非対応電気機器２を上記規格に準拠したＨＥＭＳネットワーク５から制御する仕組みを実現することができる。このため、例えば、住宅等における既設の非対応電気機器２を容易にＨＥＭＳネットワーク５から制御できるようにすることができる。
【０１１１】
また機器制御システム１によれば、変換情報５０を利用して、非対応電気機器２から送信されたリモコン信号に含まれている情報をＨＥＭＳ端末７に伝える仕組みを実現することができる。
【０１１２】
またアダプタ１０は、リモコン信号取得ユニット８１からリモコン信号情報を受信し、物理量計測値取得ユニット８２から物理量計測値を受信し、これらに基づき非対応電気機器２がリモコン信号を受け付けたことを確認し、プロパティ情報５５を更新するので、非対応電気機器２の動作状態を把握することができる。またアダプタ１０は、リモコン装置３から非対応電気機器２にリモコン信号が送信された場合も同様の動作を行って非対応電気機器２の状態を把握するので、非対応電気機器２の最新の状態を把握することができる。またアダプタ１０は、プロパティ情報５５をＨＥＭＳサーバ６やＨＥＭＳ端末７に提供するので、ＨＥＭＳサーバ６やＨＥＭＳ端末７は、非対応電気機器２の最新の状態を把握することができる。このため、例えば、ユーザは、アダプタ１０を介して非対応電気機器２の制御を行った後、制御が正しく行われたか否かを、ＨＥＭＳサーバ６やＨＥＭＳ端末７を介して確認することができる。また例えば、ＨＥＭＳサーバ６やＨＥＭＳ端末７は、非対応電気機器２の制御を行った後の非対応電気機器２の動作状態を把握し、リモコン信号の再送等の制御を非対応電気機器２に対して行うことができる。
【０１１３】
以上の説明は、本発明の理解を容易にするためのものであり、本発明を限定するものではない。本発明はその趣旨を逸脱することなく、変更、改良され得ると共に本発明にはその等価物が含まれることは勿論である。
【０１１４】
例えば、以上ではリモコン装置３から送信されるリモコン信号が赤外線信号である場合を例として説明したが、リモコン信号は２．４ＧＨｚ帯の無線信号や９２０ＭＨｚ帯の無線信号等、他の種類の無線信号であってもよい。
【０１１５】
ＨＥＭＳサーバ６、ＨＥＭＳ端末７、及びアダプタ１０は、必ずしも独立したハードウェアでなくてもよい。例えば、ＨＥＭＳ端末７やアダプタ１０の機能の一部又は全部をＨＥＭＳサーバ６に設けてもよい。また例えば、ＨＥＭＳ端末７が備える機能の一部又は全部をアダプタ１０に設けてもよい。
【０１１６】
プロパティ情報は、必ずしもＨＥＭＳサーバ６から提供される構成でなくてもよく、例えば、ＨＥＭＳ端末７やアダプタ１０に予め記憶しておくようにしてもよい。
【０１１７】
変換情報５０はアダプタ１０からアクセスできる状態になっていればよく、変換情報５０はアダプタ１０以外の場所に存在していてもよい。
【０１１８】
ＨＥＭＳネットワーク５は、ECHONET Lite（登録商標）規格以外の規格に準拠するものであってもよい。
【０１１９】
また以上の説明では、物理量計測値取得ユニット８２が、計測した物理量計測値をアダプタ１０に直接送信する構成としたが、非対応電気機器２の周辺にて非対応電気機器２がリモコン信号を受信した際の応答動作によって影響される物理量の計測値をＨＥＭＳサーバ６にて収集し、収集した計測値をＨＥＭＳサーバ６からＨＥＭＳネットワーク５を介してアダプタ１０に通知する構成としてもよい。例えば、電力計（又は電力量計）を、非対応電気機器２に電力を供給している屋内配線の分電盤に接続し、上記電力計（又は電力量計）により計測された非対応電気機器２の消費電力（又は消費電力量）をＨＥＭＳサーバ６にて収集し、収集した計測値をＨＥＭＳサーバ６からＨＥＭＳネットワーク５を介してアダプタ１０に通知する、といった構成が考えられる。
【符号の説明】
【０１２０】
１  機器制御システム、２  非対応電気機器、３  リモコン装置、４  対応電気機器、５  ＨＥＭＳネットワーク、６  ＨＥＭＳサーバ、６１２  プロパティ情報取得部、６１３  プロパティ情報記憶部、６１４  プロパティ情報提供部、６５１  プロパティ情報、６５１２  プロパティコード、７  ＨＥＭＳ端末、７１２  プロパティ情報取得部、７１３  プロパティ情報記憶部、７１４  リモコンコード受信部、７１５  変換情報記憶部、７１６  変換情報送信部、７１７  非対応電気機器制御部、７５１  プロパティ情報、７５２  変換情報、７５２２  プロパティコード、７５２３  リモコンコード、８１  リモコン信号取得ユニット、８２  物理量計測値取得ユニット、１０  アダプタ、１２  ＨＥＭＳ通信装置、１３  リモコン通信装置、１１１  変換情報設定部、１１１１  リモコン信号受信部、１１１２  リモコン信号解析部、１１１３  リモコンコード送信部、１１１４  変換情報受信部、１１１５  変換情報記憶部、１１２  リモコン信号送信部、１１２１  電文受信部、１１２２  コード変換部、１１２３  リモコン信号送信部、１１４  リモコン信号情報受信部、１１５  物理量計測値受信部、１１６  プロパティ値管理部、５０  変換情報、５１  リモコン信号情報、５２  物理量計測値、５５  プロパティ情報、Ｓ１６００  変換情報設定処理、Ｓ１８００  機器制御処理、Ｓ１９００  動作状態取得処理
【図１】
2018003118.tif 000003
【図２】
2018003118.tif 000004
【図３】
2018003118.tif 000005
【図４】
2018003118.tif 000006
【図５】
2018003118.tif 000007
【図６】
2018003118.tif 000008
【図７】
2018003118.tif 000009
【図８】
2018003118.tif 000010
【図９】
2018003118.tif 000011
【図１０】
2018003118.tif 000012
【図１１】
2018003118.tif 000013
【図１２】
2018003118.tif 000014
【図１３Ａ】
2018003118.tif 000015
【図１３Ｂ】
2018003118.tif 000016
【図１３Ｃ】
2018003118.tif 000017
【図１３Ｄ】
2018003118.tif 000018
【図１４Ａ】
2018003118.tif 000019
【図１４Ｂ】
2018003118.tif 000020
【図１５Ａ】
2018003118.tif 000021
【図１５Ｂ】
2018003118.tif 000022
【図１６】
2018003118.tif 000023
【図１７Ａ】
2018003118.tif 000024
【図１７Ｂ】
2018003118.tif 000025
【図１７Ｃ】
2018003118.tif 000026
【図１８】
2018003118.tif 000027
【図１９】
2018003118.tif 000028
【図２０Ａ】
2018003118.tif 000029
【図２０Ｂ】
2018003118.tif 000030
【国際調査報告】
2018003118.tif 000031
2018003118.tif 000032